(57)【要約】【課題】短時間および低コストに導入することができる集合住宅に適したインターネットテレビ電話／インターホン複合システムを提供する。【解決手段】サーバ３１によりＩＰ通信装置（ＩＰテレビ電話）２１をインターネットに接続するとともに、ＩＰ通信装置（住戸室内用インターホン）２１と共用玄関用インターホン１６との間の通話を接続する。ＩＰ通信装置（住戸室内用インターホン）２１および共用玄関用インターホン１６は、ＩＰテレビ電話で送受されるデジタル通話信号を送受する。【選択図】        図１
2006025295.tif 000002
【特許請求の範囲】
【請求項１】
集合住宅に設置されインターネットに接続されるサーバと、
前記集合住宅の各住戸に設置され前記サーバに接続されるデータ通信装置と、
前記集合住宅の共用玄関に設置され前記サーバに接続される共用玄関用インターホンとを備え、
前記データ通信装置は、デジタル通話信号を前記サーバを介して送受するインターネットテレビ電話と、前記デジタル通話信号を前記サーバを介して送受する住戸室内用インターホンとを有し、
前記共用玄関用インターホンは、訪問者により前記住戸室内用インターホンを指定する住戸情報が入力されたとき、入力された住戸情報を前記サーバに出力し、
前記サーバは、
前記共用玄関用インターホンにより出力された前記住戸情報に対応する前記住戸室内用インターホンと前記共用玄関用インターホンとの間の通話を接続するインターホン接続手段と、
前記インターネットテレビ電話を前記インターネットに接続するインターネット接続手段とを有し、
前記住戸室内用インターホンおよび前記共用玄関用インターホンは、前記インターホン接続手段により両者間の通話が接続されたとき、前記両者間で前記デジタル通話信号を送受する、
ことを特徴とするインターネットテレビ電話／インターホン複合システム。
【請求項２】
前記住戸室内用インターホンおよび前記共同玄関インターホンは、前記インターネットテレビ電話と同じ通信プロトコルで通話を行なうことを特徴とする請求項１記載のインターネットテレビ電話／インターホン複合システム。
【請求項３】
前記サーバ、前記データ通信装置および前記共用玄関用インターホンは、ＬＡＮ（Local Area Network）を構成することを特徴とする請求項１または2記載のインターネットテレビ電話／インターホン複合システム。
【請求項４】
前記各住戸の玄関に設置され、前記住戸室内用インターホンに接続される住戸玄関用インターホンを有することを特徴とする請求項１〜３のいずれか１項記載のインターネットテレビ電話／インターホン複合システム。
【請求項５】
前記住戸玄関用インターホンは、訪問者を撮影し、映像信号を出力する住戸玄関用カメラを有し、訪問者により入居者を呼び出すための呼び出し情報が入力されたとき、入力された呼び出し情報を前記住戸用インターホンに送信するとともに、前記住戸玄関用カメラにより撮影を行い、撮影された映像信号を前記住戸室内用インターホンに送信し、
前記住戸室内用インターホンは、前記住戸玄関用インターホンにより送信された前記住戸玄関用カメラの映像信号を前記インターネットテレビ電話に出力し、
前記インターネットテレビ電話は、前記住戸室内用インターホンにより出力された前記住戸玄関用カメラの映像信号を表示することを特徴とする請求項４記載のインターネットテレビ電話／インターホン複合システム。
【請求項６】
前記共用玄関用インターホンは、訪問者を撮影し、映像信号を出力する共用玄関用カメラを有し、訪問者により前記住戸情報が入力されたとき、前記共用玄関用カメラにより撮影された映像信号をデジタル映像信号に変換し、前記インターホン接続手段により通話が接続された前記住戸室内用インターホンに送信し、
前記住戸室内用インターホンは、前記共用玄関用インターホンにより送信された前記共用玄関用カメラのデジタル映像信号を前記インターネットテレビ電話に出力し、
前記インターネットテレビ電話は、前記住戸室内用インターホンにより出力された前記共用玄関用カメラのデジタル映像信号を表示することを特徴とする請求項１〜５のいずれか１項記載のインターネットテレビ電話／インターホン複合システム。
【請求項７】
前記インターネット電話は、前記共用玄関インターホンに通話を転送する転送命令を前記サーバに送信する転送命令送信手段を有し、
前記サーバは、前記インターネット接続手段により前記インターネットテレビ電話が前記インターネットに接続された後、前記前記インターネットテレビ電話により送信された前記転送命令を受信したとき、前記インターネット接続手段と前記インターホン接続手段とを接続し、前記インターネット接続手段および前記インターホン接続手段により前記インターネットを前記共用玄関用インターホンに接続させる電話転送手段を有することを特徴とする請求項１〜５のいずれか１項記載のインターネットテレビ電話／インターホン複合システム。
【発明の詳細な説明】
【技術分野】
【０００１】
本発明は、インターネットテレビ電話／インターホン複合システムに関する。
【背景技術】
【０００２】
インターネットの発達に伴い、音声信号とともに映像信号を送受するインターネットテレビ電話システムが普及するようになった。インターネットテレビ電話システムでは、２つのインターネットテレビ電話間の１対１の通話の他、チャット、テレビ電話会議等、複数のインターネットテレビ電話間で通話が可能である。このようなインターネットテレビ電話システムとして、例えば、電話番号の代わりにＵＲＬアドレスを汎用ブラウザに入力して発呼するインターネットテレビ電話システムが提案されている（特許文献１参照）。
【０００３】
一方、集合住宅の共用玄関に設置された共用玄関用インターホンと各住戸に設置された住戸用インターホンとを有し、共用玄関用インターホンに住戸番号が入力されたとき、対応する住戸用インターホンと共用玄関用インターホンとの通話を接続し、共用玄関扉を開錠するインターホンシステムが知られている。このようなインターホンシステムとして、例えば、ロビーインターホン１により複数の電気錠４を制御するものが提案されている（特許文献２参照）。
【特許文献１】特開２００３−１７４５０７号公報
【特許文献２】特開２００３−１６２４２６号公報
【発明の開示】
【発明が解決しようとする課題】
【０００４】
しかしながら、従来のインターホンシステムでは、共用玄関用インターホンと各住戸用インターホンとの間の通話は、アナログ信号により行なわれる場合が多く、共用玄関用インターホンと住戸用インターホンとを電話線で個別に配線してシステムを構成するか、テレビの共同受信システムを利用してシステムを構成していた。
【０００５】
電話線を用いた従来のインターホンシステムでは、映像信号を送ることができず、音声のみの通話となった。テレビの共同受信システムを利用した従来のインターホンシステムでは、音声とともに映像を送ることができるが、共用玄関用インターホンと各住戸用インターホンとの間にブースタ（増幅器）を設け、各住戸用インターホンの通話信号レベルを一定にする必要があるため、設置時の調整が面倒であり、時間およびコストがかるといった問題があった。
【０００６】
また、従来のインターホンシステムでは、既存の集合住宅に新たにインターホンシステムを導入する場合には、新たな配線を敷設する等、時間およびコストがかかるといった問題があった。また、住戸用インターホンは、ハンドセットや表示装置を有するにもかかわらず、インターホン専用に利用されている。
【０００７】
本発明は、このような事情に鑑みなされたものであり、その目的は、短時間かつ低コストに導入することができる集合住宅に適したインターネットテレビ電話／インターホン複合システムを提供するにある。
【課題を解決するための手段】
【０００８】
上記目的を達成するため、本発明のインターネットテレビ電話／インターホン複合システムは、集合住宅に設置されインターネットに接続されるサーバと、前記集合住宅の各住戸に設置され前記サーバに接続されるデータ通信装置と、前記集合住宅の共用玄関に設置され前記サーバに接続される共用玄関用インターホンとを備え、前記データ通信装置は、デジタル通話信号を前記サーバを介して送受するインターネットテレビ電話と、前記デジタル通話信号を前記サーバを介して送受する住戸室内用インターホンとを有し、前記共用玄関用インターホンは、訪問者により前記住戸室内用インターホンを指定する住戸情報が入力されたとき、入力された住戸情報を前記サーバに出力し、前記サーバは、前記共用玄関用インターホンにより出力された前記住戸情報に対応する前記住戸室内用インターホンと前記共用玄関用インターホンとの間の通話を接続するインターホン接続手段と、前記インターネットテレビ電話を前記インターネットに接続するインターネット接続手段とを有し、前記住戸室内用インターホンおよび前記共用玄関用インターホンは、前記インターホン接続手段により両者間の通話が接続されたとき、前記両者間で前記デジタル通話信号を送受することを特徴とする。
また、本発明のインターネットテレビ電話／インターホン複合システムは、前記インターネットテレビ電話は、留守情報を設定および解除する入力手段と、携帯電話の電話番号を登録する登録手段と、前記入力手段により留守情報が設定された場合、かつ、前記インターホン接続手段により前記住戸室内用インターホンと前記共用玄関インターホンとの間の通話が接続された場合、前記登録手段に登録された前記携帯電話の電話番号を読み出し、読み出された携帯電話の電話番号を発呼する発呼手段とを有し、前記転送命令送信手段は、前記発呼手段の発呼に応じて前記インターネット接続手段により前記携帯電話との間で通話が接続されたとき、前記転送命令を送信することができる。
また、本発明のインターネットテレビ電話／インターホン複合システムは、前記サーバにより遠隔操作される監視用カメラを設け、前記サーバは、前記監視用カメラにより撮影された映像信号を表示する表示装置と、前記監視用カメラにより撮影された映像信号を記録する記録装置とを設けることができる。
また、本発明のインターネットテレビ電話／インターホン複合システムは、前記インターネットテレビ電話に接続され、家電製品を遠隔操作するリモコン制御器を設け、前記インターネット接続手段は、前記インターネットに接続された携帯電話と、前記携帯電話により通話が要求された前記インターネットテレビ電話との間の通話を接続し、前記インターネットテレビ電話は、前記インターネット接続手段により通話が接続された前記携帯電話により送信された家電制御命令を前記リモコン制御器に出力し、前記リモコン制御器は、前記インターネットテレビ電話により出力された家電制御命令に従って前記家電製品を遠隔制御することができる。
また、本発明のインターネットテレビ電話／インターホン複合システムは、前記インターネットテレビ電話に接続され、映像信号を出力する室内用カメラを設け、前記インターネット接続手段は、前記インターネットに接続された携帯電話と、前記携帯電話により通話が要求された前記インターネットテレビ電話との間の通話を接続し、前記インターネットテレビ電話は、前記インターネット接続手段により通話が接続された前記携帯電話により送信された映像送信命令を前記室内用カメラに出力するとともに、前記映像送信命令に応じて前記室内用カメラにより出力された映像信号をデジタル映像信号に変換し前記携帯電話に送信し、前記室内用カメラは、前記インターネットテレビ電話により出力された前記映像送信命令が入力されたとき、撮影を行い、撮影された映像信号を前記インターネットテレビ電話に出力することができる。
【発明の効果】
【０００９】
本発明のインターネットテレビ電話／インターホン複合システムによれば、前記デジタル通話信号を送受する前記インターネットテレビ電話と前記住戸室内用インターホンとを有するデータ通信装置が前記インターネット接続手段により前記インターネットに接続されるとともに、前記インターホン接続手段により前記共用玄関用インターホンに通話が接続され、前記住戸室内用インターホンおよび前記共用玄関用インターホンは、前記デジタル通話信号を送受する。
【００１０】
したがって、デジタル通話信号を送受するサーバ、データ通信装置および共用玄関用インターホンによりインターネットテレビ電話／インターホン複合システムを構成することができるので、短時間かつ低コストにシステムを導入することができる。
【００１１】
また、インターネットテレビ電話および住戸室内用インターホンは、デジタル通話信号を送受するので、信号処理回路、ハンドセット、表示装置等を共有することができるので、ハードウェア資源を有効利用することができる。すなわち、インターネットテレビ電話と住戸室内用インターホンとを別々に設置する必要がないので、導入費用を低減することができる。
【発明を実施するための最良の形態】
【００１２】
短時間および低コストに導入が可能な集合住宅に適したインターネットテレビ電話／インターホン複合システムを提供するという目的を達成するため、インターネットに接続されたサーバと、前記サーバに接続されデジタル通話信号を送受するインターネットテレビ電話および住戸用室内インターホンとを有するデータ通信装置と、前記サーバに接続された共用玄関用インターホンとを設け、前記住戸用室内インターホンおよび前記共用玄関用インターホンは、前記デジタル通話信号を送受するようにシステムを構成する。
【実施例１】
【００１３】
以下、本発明の実施例１のインターネットテレビ電話／インターホン複合システムについて図面を参照して説明する。
図１は、実施例１のインターネットテレビ電話／インターホン複合システムの構成を示す図である。また、図２は、図１に示される共同玄関用インターホンの構成を示す図である。図３は、図１に示されるＩＰ（Internet Protocol）通信装置の構成を示す図である。
【００１４】
図１に示すように、実施例１のインターネットテレビ電話／インターホン複合システムは、集合住宅の管理室１０に設置されたサーバ１１、ルータ１２、メディアコンバータ１３およびＶＤＳＬ（Very-high-bit-rate Digital Subscriber Line）・ＳＷ（スイッチ）１４と、管理室１０の外に設置されたＶＤＳＬモデム１５と、集合住宅の共用玄関に設けられた共用玄関用インターホン１６と、安全上の理由から集合住宅の共用部分に設けられた監視カメラ１７と、集合住宅の各住戸に設置されたＩＰ通信装置２１、住戸玄関用インターホン２２、室内カメラ２３およびリモコン制御器２４とを備える。
【００１５】
サーバ１１は、ルータ１２を介してメディアコンバータ１３、ＶＤＳＬ・ＳＷ１４、共用玄関用インターホン１６および監視カメラ１７に接続されている。ＶＤＳＬ・ＳＷ１４は、ＶＤＳＬモデム１５を介してＩＰ通信装置２１に接続されている。メディアコンバータ１３は、光ファイバ回線３１に接続されている。ＶＤＳＬ・ＳＷ１４は、モジュラージャック等により電話回線３２に接続されている。
【００１６】
サーバ１１は、各住戸のＩＰ通信装置２１をメディアコンバータ１３を介して光ファイバ回線３１に接続するとともに、ＶＤＳＬ・ＳＷ１４を介して電話回線３２に接続し、さらに、共用玄関用インターホン１６に接続する。サーバ１３は、コンピュータから構成され、図示しない本体内に記憶装置を有するとともに、前記本体に接続された表示装置およびビデオ記録再生装置（不図示）を備える。前記記憶装置には、各住戸のＩＰ通信装置２１の宛先アドレスと住戸情報（例えば、住戸番号）とを対応付けたテーブルが記憶されている。
【００１７】
ＩＰ通信装置２１は、ＩＰテレビ電話および住戸用室内インターホンの機能を有し、ＩＰテレビ電話としてインターネット（光ファイバ回線３１および電話回線３２）に接続されるとともに、住戸用室内インターホンとして共用玄関用インターホン１６に接続される。
【００１８】
ルータ１２は、ＬＡＮ（Local Area Network）間同士を相互に接続するものであり、例えば、プロトコル変換を行なうとともに、宛先アドレスから最適な経路を選択する。メディアコンバータ１３は、光ファイバ回線３１からの光信号を電気信号に変換するとともに、ルータ１２からの電気信号を光信号に変換する。ＶＤＳＬ・ＳＷ１４は、電話回線３２をインターネット回線として利用するものであり、各住戸のＩＰ通信装置２１をインターネットに接続する。ＶＤＳＬモデム１５は、電話用の音声信号と通信用のデジタル信号とを混合および分離する。
【００１９】
なお、ＶＤＳＬモデム１５とＩＰ通信装置２１との間にルータを設置すると、ルータに接続されるパーソナルコンピュータを設置することができる。ルータは、ＩＰ通信装置２１とパーソナルコンピュータとを切り替えてＶＤＳＬモデム１５に接続する。
【００２０】
共用玄関用インターホン１６は、図２に示すように、各住戸のＩＰ通信装置２１との間でデジタル通話信号を送受するものであり、通信制御部３１、操作部３２、音声変換部３３、スピーカ３４、マイク３５、映像変換部３６およびカメラ３７を有する。
【００２１】
通信制御部３１は、ＩＰ通信装置２１との間でデジタル通話信号を送受する。操作部３２は、住戸を特定する住戸情報（例えば、住戸番号）を入力する。音声変換部３３は、通信制御部３１により受信されたデジタル音声信号をアナログ信号に変換し、スピーカ３４に出力するとともに、マイク３５からのアナログ音声信号をデジタル音声信号に変換する。スピーカ３４は、音声変換部３３からのアナログ音声信号に従って音声を出力する。マイク３５は、音声を入力し、アナログ音声信号を出力する。映像変換部３６は、カメラ３７により出力されたアナログ映像信号をデジタル映像信号に変換し、通信制御部３１に出力する。カメラ３７は、訪問者を撮影するものであり、撮影されたアナログ映像信号を映像変換部３６に出力する。
【００２２】
共用玄関用インターホン１６は、訪問者の操作により操作部３２に住戸情報が入力されたとき、入力された住戸情報をサーバ１１に出力し、入力された住戸情報に対応するＩＰ通信装置２１との通話を要求する。
共用玄関用インターホン１６は、サーバ１１により共用玄関用インターホン１６（通信制御部３１）とＩＰ通信装置２１との間の通話が接続されたとき、ＩＰ通信装置２１により送信され通信制御部３１に受信されたデジタル音声信号を音声変換部３３によりアナログ音声信号に変換し、スピーカ３４により音声を出力するとともに、音声が入力されたマイク３５のアナログ音声信号を音声変換部３３によりデジタル音声信号に変換し、通信制御部３１によりＩＰ通信装置２１に送信し、カメラ３７により撮影された訪問者の映像信号を映像変換部３６によりデジタル映像信号に変換し、通信制御部３１によりＩＰ通信装置２１に送信し、通話を行なう。また、共用玄関用インターホン１６は、ＩＰ通信装置２１からの通話信号に含まれる開錠命令を出力し、図示しない共用玄関扉を開錠させる。
【００２３】
監視カメラ１７は、デジタル映像信号を出力するビデオカメラである。監視カメラ１７により出力されたデジタル映像信号は、ルータ１２を介してサーバ１１に出力される。サーバ１１は、監視カメラ１７からのデジタル映像信号を前記表示装置に表示するとともに、前記ビデオ記録再生装置に記録する。
【００２４】
ＩＰ通信装置２１は、前述のように、ＩＰテレビ電話と住居室内用インターホンとを組み合わせたものであるが、ＩＰテレビ電話が送受するデジタル通話信号を住居室内用インターホンも送受する点で従来と異なる。ＩＰ通信装置２１は、図３に示すように、通信制御装置４１、操作部４２、音声処理部４３、カメラ４４、表示部４５、複数（図３では２個）の外部端子４６およびメモリ４７を有する。一方の外部端子４６には、室内カメラ２３が接続され、他方の外部端子４６には、リモコン制御器２４が接続されている。
【００２５】
通信制御部４１は、サーバ１１によりインターネットおよび共用玄関用インターホン１６に接続され、通話を行なうとともに、住戸玄関用インターホン２２からの呼び出し信号に応じて住戸玄関用インターホン２２との間の通話を接続し、通話を行なう。操作部４２は、通信相手の宛先アドレスや電話番号を入力する操作ボタンや、いわゆる留守番電話を設定および解除する等の各種の設定ボタン、入力された電話番号等を表示する表示板等を有する。
【００２６】
音声処理部４３は、図示しない音声変換回路と、音声入力装置（例えば、マイク、ハンドセットの受話器と）と、音声出力装置（例えば、スピーカ、ハンドセットの送話器）とを有する。前記音声変換回路は、通信制御部４１に受信されたデジタル通話信号に含まれるデジタル音声信号をアナログ音声信号に変換するとともに、入力されたアナログ音声信号をデジタル音声信号に変換し通信制御部４１に出力する。また、前記音声変換回路は、住戸玄関用インターホン２２から出力されたアナログ音声信号を入力し、必要に応じてデジタル音声信号に変換する。
【００２７】
音声処理部４３は、前記音声変換回路により出力されたアナログ音声信号を前記音声出力装置に出力するとともに、前記音声入力装置により入力されたアナログ音声信号を前記音声変換回路に出力する。また、音声処理部４３は、住戸玄関用インターホン２２から出力されたアナログ音声信号を入力し、前記音声出力装置に出力するとともに、前記音声入力装置により入力されたアナログ音声信号を住戸玄関用インターホン２２に出力する。
【００２８】
カメラ４４は、ＩＰ通信装置２１の使用者を撮影し、通信制御部４１に出力する。表示部４５は、通信制御部５４に受信されたデジタル通話信号に含まれるデジタル映像信号（通話相手の映像信号）を再生して表示する。
【００２９】
通信制御部４１は、携帯電話からインターネットを通して受信された通話信号に含まれる各種の制御信号の出力先を識別し、出力先が識別された制御命令を外部端子４６を通して出力する。メモリ４７には、携帯電話の電話番号や、いわゆる留守番電話の音声メッセージが記憶される。
【００３０】
住戸玄関用インターホン２２は、操作ボタン５１、スピーカ５２、マイク５３およびカメラ５４を有する。操作ボタン５１およびカメラ５４は、それぞれＩＰ通信装置２１の通信制御部４１に接続され、スピーカ５２およびマイク５３は、ＩＰ通信装置２１の音声処理部４３に接続されている。
【００３１】
操作ボタン５２は、当該住戸の訪問者により押下される呼び出し用のボタンである。スピーカ５４は、音声処理部４３からのアナログ音声信号に従って音声を出力する。マイク５５は、音声を入力し、アナログ音声信号を音声処理部４３に出力する。カメラ５４は、訪問者を撮影するものであり、撮影されたアナログ映像信号を通信制御部４１に出力する。
【００３２】
ＩＰ通信装置２１は、操作部ボタン５１が押下されたとき、カメラ５４により訪問者を撮影し、撮影された映像信号を通信制御装置４１を介して表示部４５に表示させるとともに、マイク５３により入力された訪問者の音声信号を音声処理部４３により音声にして出力し、音声処理部４３に入力された音声信号をスピーカ５３により音声出力させる。
【００３３】
図１に戻り、サーバ１１、ルータ１２、ＶＤＳＬ・ＳＷ１４、ＶＤＳＬモデム１５、共用玄関用インターホン１６、監視カメラ１７およびＩＰ通信装置２１は、ＬＡＮ（Local Area Network）を構成する。ＩＰ通信装置２１および共用玄関用インターホン１６は、ＩＰ通信装置２１のＩＰテレビ電話が使用する通信プロトコルに従って通話を行なう。
【００３４】
このように構成されたインターネットテレビ電話／インターホン複合システムでは、ＩＰ通信装置２１と他のＩＰテレビ電話との間でインターネットを介して通話が行なわれるとともに、ＩＰ通信装置２１と共用玄関用インターホン１６との間で通話が行なわれる。
【００３５】
次に、インターネットテレビ電話／インターホン複合システムの動作の一例を説明する。
共用玄関用インターホン１６の操作部３２に住戸情報が入力されると、入力された住戸情報が共用玄関用インターホン１６の通信制御部３１によりサーバ１１に送信される。次に、サーバ１１により記憶装置に記憶されたテーブルが参照され、住戸番号に対応する宛先アドレス（電話番号）のＩＰ通信装置２１との通話が要求される。次に、サーバ１１により当該ＩＰ通信装置２１と共用玄関用インターホン１６との間の通話が接続され、通話が行なわれる。次に、ＩＰ通信装置２１から共用玄関用インターホン１６に開錠命令が送信されると、共用玄関用インターホン１６により共用玄関扉が開錠される。
【００３６】
次に、インターネットテレビ電話／インターホン複合システムの動作の変形例を説明する。ここで、ＩＰ通信装置２１の操作部４２により留守番電話が設定されているものとする。
共用玄関用インターホン１６の操作部３２に住戸情報が入力され、入力された住戸情報が共用玄関用インターホン１６の通信制御部３１によりサーバ１１に送信され、サーバ11によりＩＰ通信装置２１との通話が要求されると、ＩＰ通信装置２１のメモリ４７に記憶された携帯電話の電話番号が読み出され、読み出された電話番号を表す発呼信号がＩＰ通信装置の通信制御部３１によりサーバ１１に送信される。次に、サーバ１１により携帯電話の発呼信号が光ファイバ回線３２に送信される。
【００３７】
次に、サーバ１１により携帯電話とＩＰ通信装置２１との間の通話が接続された場合には、ＩＰ通信装置２１により転送命令がサーバ１１に送信される。次に、サーバ１１により転送命令に応じて携帯電話と共用玄関用インターホン１６との間の通話が接続され、通話が転送される。一方、サーバ１１により携帯電話とＩＰ通信装置２１との間の通話が接続されない場合には、ＩＰ通信装置２１からの留守メッセージが共用玄関用インターホン１６に応答され、共用玄関用インターホン１６からの留守番電話の音声メッセージがＩＰ通信装置２１のメモリ４７に記憶される。
【００３８】
さらに、インターネットテレビ電話／インターホン複合システムの動作の変形例を説明する。
携帯電話からの発呼信号が電話回線を介してサーバ１１に受信されると、サーバ１１により発呼信号に対応するＩＰ通信装置２１との間で通話が接続される。次に、携帯電話からＩＰ通信装置２１（通信制御部４１）に映像送信命令が送信されると、通信制御部４１に受信された映像送信命令が外部端子４６を通して室内カメラ２３に入力される。次に、室内カメラ２３により映像送信命令に従って室内の撮影が行なわれ、室内カメラ２３により出力された映像信号が通信制御部４１によりデジタル映像信号に変換され、携帯電話に送信される。そして、ＩＰ通信装置２１と携帯電話との間の通話が接断されると、室内カメラ２３の撮影が終了する。
【００３９】
また、携帯電話とＩＰ通信装置２１との間の通話が接続された後、携帯電話からＩＰ通信装置２１（通信制御部４１）に家電制御命令が送信されると、通信制御部４１に受信された家電制御命令が外部端子４６を通してリモコン制御器２４に入力される。次に、リモコン制御器２４により家電制御命令が出力され、対応する家電製品が制御される。例えば、エアコンが起動される。
【００４０】
以上説明したように、実施例１によれば、サーバ３１によりＩＰ通信装置（ＩＰテレビ電話）２１をインターネットに接続するとともに、ＩＰ通信装置（住戸室内用インターホン）２１と共用玄関用インターホン１６との間の通話を接続する。ＩＰ通信装置（住戸室内用インターホン）２１および共用玄関用インターホン１６は、ＩＰテレビ電話で送受されるデジタル通話信号を送受する。したがって、デジタル信号送受するサーバ３１、ＩＰ通信装置２１および共用玄関用インターホン１６によりＩＰテレビ電話／インターホン複合システムを構成することができるので、短時間かつ低コストにシステムを導入することができる。
【００４１】
また、ＩＰ通信装置２１および共用玄関用インターホン１６は、ＩＰテレビ電話と同じ通信プロトコルで通話を行なう。このため、ＩＰ通信装置２１にインターホン専用の通信制御回路を設ける必要がなく、サーバ１１にもインターホン専用の接続回路を設ける必要がない。したがって、低コストにシステムを構成することができる。
【００４２】
また、サーバ１１、ＩＰ通信装置２１および共用玄関用インターホン１６は、ＬＡＮを構成する。このため、例えば、共用玄関用インターホン１６をインターネットに接続することが可能となるため、システムの利便性が向上する。前述のように、留守番電話を設定した使用者の携帯電話を呼び出すような付加価値をシステムに設けることができる。
【００４３】
さらに、共用玄関用インターホン１６のカメラ３７により訪問者を撮影し、撮影された訪問者の映像が各住戸のＩＰ通信装置２１の表示部４５により表示される。したがって、ＩＰ通信装置２１の使用者に音声に加えて映像も提供することができるので、使用者の利便性が向上する。
【図面の簡単な説明】
【００４４】
【図１】実施例１のインターネットテレビ電話／インターホン複合システムの構成を示す図である。
【図２】図１に示される共同玄関用インターホンの構成を示す図である。
【図３】図１に示されるインターネットテレビ電話／住居用インターホン複合装置の構成を示す図である。
【符号の説明】
【００４５】
１１……サーバ、１２……ルータ、１３……メディアコンバータ、１４……ＶＤＳＬ・ＳＷ、１５……ＶＤＳＬモデム、１６……共用玄関用インターホン、２１……ＩＰ通信装置、２２……住戸玄関用インターホン。
【図１】
2006025295.tif 000003
【図２】
2006025295.tif 000004
【図３】
2006025295.tif 000005